(57)【要約】【課題】本発明は、衣類の乾燥度を均一にさせる回転可能な物干しを提供することを目的とする。【解決手段】本発明に係る回転式の物干しは、固定棚と、伝動ベルト及び伝動ベルト用駆動ユニットを備える環状型枠組と、前記固定棚の内部に装着され、前記伝動ベルト用駆動ユニットを制御して、前記伝動ベルトを駆動して前記環状型枠組に沿って動かす制御装置と、前記伝動ベルトに固定され且つ衣類を架けることに用いられて、前記伝動ベルトによって、衣類を前記環状型枠組に沿って移動させるための複数の無線電子吊り秤と、を備える。【選択図】図１
2013126537.tif 000002
【特許請求の範囲】
【請求項１】
固定棚と、伝動ベルト及び伝動ベルト用駆動ユニットを備える環状型枠組と、前記固定棚の内部に装着され、前記伝動ベルト用駆動ユニットを制御して、前記伝動ベルトを駆動して前記環状型枠組に沿って動かす制御装置と、前記伝動ベルトに固定され且つ衣類を架けることに用いられて、前記伝動ベルトによって、衣類を前記環状型枠組に沿って移動させるための複数の無線電子吊り秤と、を備えることを特徴とする回転式物干し。
【請求項２】
２つの連接部品をさらに備え、
２つの該連接部品の上端は、前記固定棚の下方の両端にそれぞれ固定され、２つの該連接部品の下端は、前記環状型枠組の両端にそれぞれ固定され、前記固定棚内には、１つの連接部品用駆動ユニットが設けられ、前記制御装置は、前記連接部品用駆動ユニットを制御して、前記連接部品を上下へ移動させることにより、前記環状型枠組を上昇或いは下降させることを特徴とする請求項１に記載の回転式物干し。
【請求項３】
各々の連接部品は、複数の連接ユニット及び２つの連接紐を含み、各々の連接ユニットは、互いに交差し且つ各々回転可能に連接された連接ロッドを含み、隣り合う２つの連接ユニットの連接ロッドの端部は交差して連接され、２つの前記連接紐の一端は、１つの連接ユニットの異なる連接ロッドにそれぞれ固定され、２つの前記連接紐の他端は、前記連接部品用駆動ユニットにそれぞれ連接され、前記制御装置は前記連接部品用駆動ユニットを制御して正転或いは逆転させると、２つの前記連接紐は伸縮し、前記連接紐と連接する２つの連接ロッドは、互いに対して回転すると共に、他方の連接ロッドを誘導して回転させ、これにより、前記連接部品全体は、上向き或いは下向きに移動することを特徴とする請求項２に記載の回転式物干し。
【請求項４】
各々の連接部品は、２つの連接紐を備え、２つの前記連接紐の一端は、前記環状型枠組に跨って固定される板片に直接的に固定され、２つの前記連接紐の他端は、前記連接部品用駆動ユニットに連接され、前記制御装置が前記連接部品用駆動ユニットを制御して正転或いは逆転すると、２つの前記連接紐は、伸長或いは短縮して、前記環状型枠組を上昇或いは下降させることを特徴とする請求項２に記載の回転式物干し。
【請求項５】
前記制御装置は、前記伝動ベルト用駆動ユニットを制御して、該伝動ベルト用駆動ユニットを介して、所定時間、前記伝動ベルトを前記環状型枠組に沿って動かすことを特徴とする請求項１から４のいずれか一項に記載の回転式物干し。
【請求項６】
前記無線電子吊り秤は、所定時間内に、前記無線電子吊り秤に架けられた衣類の重量を定期的に量り且つ測定結果を無線ネットワークを介して前記制御装置に送信し、該制御装置は、前記無線電子吊り秤からの測定結果と１つの参考値とを比較し、現在の測定結果が参考値に対して変化している場合、衣類中の水分は残存していることを表し、コントローラは前記伝動ベルトを制御して該伝動ベルトを引き続き動かし、これとは逆に、現在の測定結果が参考値に対して何も変化していない場合、衣類中の水分は既に完全に蒸発されたことを表し、前記コントローラは前記伝動ベルトを停止させることを特徴とする請求項１から５のいずれか一項に記載の回転式物干し。
【請求項７】
前記参考値は、前記無線電子吊り秤の一つ前の周期で取得した測定結果であり、前記コントローラは、メモリーをさらに備え、前記コントローラは、前記無線電子吊り秤の現在の測定結果を受信した後、該現在の測定結果を集約して、前記メモリーの中に即時に格納して、前記メモリーの中の参考値を更新することを特徴とする請求項６に記載の回転式物干し。
【発明の詳細な説明】
【技術分野】
【０００１】
本発明は、物干しに関し、特に衣類の乾燥度を均一にさせる回転可能な物干しに関するものである。
【背景技術】
【０００２】
現在、家庭用物干しは、徐々に自動化へと向かっている。その中で、電動昇降式物干しは、省スペース、操作し易いなどの利点を有するため、消費者に人気である。この電動昇降式物干しは、物干し竿と、該物干し竿の両端に固定される縄或いは菱形フレームと、前記縄を巻き取る又は前記菱形フレームを上昇／下降させるためのコントローラと、を備える。ユーザーは、この電動昇降式物干しを使用する際には、昇降スイッチのボタンを押すだけで、物干し竿を自動的に上昇させる又は下降させることができる。
【０００３】
しかし、既存の電動昇降式物干しは、衣類が架かったハンガーを物干し竿の位置決め孔内に設置するので、衣類の位置が固定されてしまう。従って、衣類を均一に太陽光に晒すことができず、各々の衣類の乾燥度は異なる。
【発明の概要】
【発明が解決しようとする課題】
【０００４】
以上の問題点に鑑みて、本発明は、衣類の乾燥度を均一にさせる回転可能な物干しを提供することを目的とする。
【課題を解決するための手段】
【０００５】
前記課題を解決するために、本発明に係る回転式の物干しは、固定棚と、伝動ベルト及び伝動ベルト用駆動ユニットを備える環状型枠組と、前記固定棚の内部に装着され、前記伝動ベルト用駆動ユニットを制御して、前記伝動ベルトを駆動して前記環状型枠組に沿って動かす制御装置と、前記伝動ベルトに固定され且つ衣類を架けることに用いられて、前記伝動ベルトによって、衣類を前記環状型枠組に沿って移動させるための複数の無線電子吊り秤と、を備える。
【発明の効果】
【０００６】
従来の技術と異なり、本発明に係る回転式物干しは、衣類が架かったハンガーを環状型枠組に沿って自動的に移動させるので、回転式物干しのあらゆる箇所に架けた衣類を、太陽光に均一に晒して乾燥させることができる。
【図面の簡単な説明】
【０００７】
【図１】本発明の実施形態に係る回転式物干しの斜視図である。
【図２】図１に示した回転式物干しの環状型枠組の正面を示す拡大図である。
【図３】図１に示した回転式物干しのコントローラの構造を表すブロック図である。
【発明を実施するための形態】
【０００８】
図１及び図２に示すように、本発明の実施形態に係る回転式物干し１は、１つの環状型枠組１０と、２つの連接部品２０と、１つの固定棚３０と、１つの制御装置４０（図３を参照）と、を備える。２つの連接部品２０の上端は、固定棚３０の下方の両端にそれぞれ固定され、２つの連接部品２０の下端は、１つの細長い形状の板片２００を介して、環状型枠組１０の両端にそれぞれ固定される。板片２００の両端は、環状型枠組１０に接続されている。制御装置４０は、固定棚３０の内部に装着されて、連接部品２０を制御して該連接部品２０を上下へ移動させる。これにより、環状型枠組１０は、連動して上昇或いは下降する。
【０００９】
本実施形態において、各々の連接部品２０は複数の連接ユニット２１を含み、各々の連接ユニット２１は、互いに交差し且つ各々回転可能に連接された２つの連接ロッド２２を含む。この２つの連接ロッド２２の中央部は互いに接触するので、連接ユニット２１全体はほぼ「Ｘ」字状を呈する。隣り合う２つの連接ユニット２１の連接ロッド２２の端部は、交差して連接される。本実施形態において、各々の連接部品２０は、２つの連接紐２３をさらに備える。この２つの連接紐２３の一端は、１つの連接ユニット２１の異なる連接ロッド２２にそれぞれ固定され、この２つの連接紐２３の他端は制御装置４０にそれぞれ連接される。
【００１０】
制御装置４０は、第一モーター４１、滑車４２及びコントローラ４３を備える。コントローラ４３が第一モーター４１を制御して正転或いは逆転させると、滑車４２も同時に正転或いは逆転する。これにより、２つの連接紐２３は伸縮される。この際、連接紐２３と連接する２つの連接ロッド２２は互いに対して回転すると共に、他方の連接ロッド２２を誘導して互いに対して回転させる。このようにして、連接部品２０全体は、上向き或いは下向きに移動する。本実施形態において、ユーザーは、リモコン（図示せず）を介してコントローラ４３を操作する。
【００１１】
また、他の実施形態において、上記した２つの連接紐２３を連接部品２０に代替することもできる。つまり、連接部品２０を省略して、２つの連接紐２３の一端を板片２００に直接的に連接して、２つの連接紐２３の他端を制御装置４０に連接する。この場合、第一モーター４１が作動する時に、滑車４２が正転する或いは逆転することによって、連接紐２３を該滑車４２に巻き取る或いは滑車４２から送り出して伸縮させることで、環状型枠組１０を上昇或いは下降させる。
【００１２】
環状型枠組１０の底面には、環状凹溝１００が設けられている。環状凹溝１００の内部には、コントローラ４３に電気的に接続された第二モーター４４及び複数の歯車４５が配列されている。本実施形態において、連接ロッド２２は中空の管状体であり、第二モーター４４及びコントローラ４３のリード線は、連接ロッド２２内に収納されている。第二モーター４４は、コントローラ４３の制御下で回転し、さらに歯車４５を連動して回転させる。また、環状凹溝１００内には伝動ベルト１２が設けられている。伝動ベルト１２は、複数の歯車４５と噛み合うラック１２０を含み且つこれらの歯車４５により駆動されて、環状凹溝１００に沿って動く。
【００１３】
さらに、伝動ベルト１２には、衣類をかけるための複数の無線電子吊り秤１１が固定されている。これら複数の無線電子吊り秤１１は、伝動ベルト１２の動作に従って、環状凹溝１００に沿って移動する。本実施形態において、伝動ベルト１２には複数の位置決め孔（図示せず）が均一に配列されている。各々の無線電子吊り秤１１のフック（図示せず）を前記位置決め孔にそれぞれ貫通させることにより、無線電子吊り秤１１を伝動ベルト１２に固定する。また、複数の無線電子吊り秤１１は、衣類を架けるためのハンガー１１０をそれぞれ備える。伝動ベルト１２が動く時、無線電子吊り秤１１は、衣類がかけられたハンガー１１０とともに環状型枠組１０に沿って移動する。これにより、環状型枠組１０における太陽光が当たらない衣類は、太陽光が当たる側に移動し、環状型枠組１０のあらゆる箇所に架けられた衣類は太陽光の照射を均一に受けることができる。
【００１４】
また、無線電子吊り秤１１と伝動ベルト１２との固定方法は、上記の実施形態に限定されず、必要に応じて変更することができる。例えば、伝動ベルト１２に複数のクリップを均一に設けて、これらのクリップによって複数の無線電子吊り秤１１を挟持することにより、無線電子吊り秤１１を伝動ベルト１２に固定することができる。
【００１５】
また、無線電子吊り秤１１は、所定時間内において、該無線電子吊り秤１１に架けられた衣類の重量を定期的に量り且つその測定結果を無線ネットワーク（例えば、ＷｉＦｉ）を介してコントローラ４３に送信する。また、制御装置４０はメモリー４６を備える。コントローラ４３は、無線電子吊り秤１１の現在の測定結果を受信した後、該現在の測定結果を集約すると同時に、メモリー４６の中に即座に格納して、メモリー４６の中の記録値を更新する。該記録値は、複数の無線電子吊り秤１１の一つ前の周期で取得した測定結果である。
【００１６】
コントローラ４３は、前記現在の測定結果とメモリー４６の中の記録値とを比較する。現在の測定結果が記録値に対して変化している場合（通常、記録値に対して小さくなる）、衣類中の水分はまだ残存している（つまり、まだ衣類が完全には乾燥していない）ことを表し、コントローラ４３は伝動ベルト１２を制御して該伝動ベルト１２を引き続き動かす。これとは逆に、現在の測定結果が記録値に対して何も変化していない場合（記録値に等しい）、衣類中の水分は既に完全に蒸発されたことを表し、コントローラ４３は伝動ベルト１２を停止させる。
【００１７】
また、本実施形態において、制御装置４０は、コントローラ４３に接続されるディスプレイ４７をさらに備える。ユーザーは、リモコンを介して前記所定時間を設定することができる。具体的には、ユーザーは、前記リモコンの対応するキーを押して、伝動ベルト１２の動作時間（例えば、午前七時から午後五時まで）を設定する。この際、前記リモコンは、ユーザーの入力結果に応じて対応する操作信号を生成する。コントローラ４３は、該操作信号を受信した後、ディスプレイ４７を制御して、ユーザーに設定された伝動ベルト１２の動作時間を表示し且つ該操作信号に基づいて伝動ベルト１２を制御して対応する所定時間内で動かす。
【００１８】
また、本発明の回転式物干しは、金属などの常用されている材料からなり、その材料は特に制限されない。
【００１９】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、いうまでもない。
【符号の説明】
【００２０】
１            回転式物干し
１０          環状型枠組
１１          無線電子吊り秤
１２          伝動ベルト
２０          連接部品
２１          連接ユニット
２２          連接ロッド
２３          連接紐
３０          固定棚
４０          制御装置
４３          コントローラ
４１          第一モーター
４２          滑車
４４          第二モーター
４５          歯車
４６          メモリー
４７          ディスプレイ
１００        環状凹溝
１１０        ハンガー
１２０        ラック
２００        板片
【図１】
2013126537.tif 000003
【図２】
2013126537.tif 000004
【図３】
2013126537.tif 000005